(57)【要約】【課題】台風や竜巻が発生し通過する場所で人工的に弱い台風や竜巻を発生させ空気のエネルギーを小さく消耗させるのが本発明の課題である。【解決手段】  円筒形の長さ３０００メートル程度の熱気球のようなものを作りその先端を真っ直ぐ上空に伸ばした後、上部に孔をあけて地表や海上の暑い空気を冷たい上空に放出させる。  円筒が途中で曲がったり回転したりするのを防ぐためにフアンやヘリコプタを用いる。  上空に上げるまでに円筒の内部でバーナーを焚いたり、空気を少し放出したりして円筒に無理な力が掛からないようにする。【選択図】    図１
2007075077.tif 000002
【特許請求の範囲】
【請求項１】
円筒の上部にカバーを取り付け、このカバーと円筒の接合部を空気が漏れないように接合すること。  円筒の上部に取り付けたカバーを上空で取り外す機構を有すること。  円筒に熱風を送り込む装置を有すること。  円筒を次々に結合して長くすることが出来る接合部を有すること。  以上の項目を同時に使用することを特徴とする台風や竜巻を発生させる装置。
【請求項２】
円筒の一部に上下、左右、に角度が帰られるファンを取り付け、円筒が横に曲がらないように、回転しないように、上下の位置を保持するように角度とファンの回転数御する機能を有する制御器をもつことを特徴とする台風や竜巻を発生させる装置。
【請求項３】
円筒の一部に線を取り付け、この線の多端をヘリコプタに接続することを特徴とする台風や竜巻を発生させる装置。
【請求項４】
円筒を縦に分解できる機能を有することを特徴とする台風や竜巻を発生させる装置。
【発明の詳細な説明】
【技術分野】
【０００１】  本発明は、本発明は台風や竜巻を人工的に発生させて、自然の持つエネルギーを上空に放出する装置に関する。
【背景技術】
【０００２】  従来、台風や竜巻を抑制する装置はなかった。
【発明の開示】
【発明が解決しようとする課題】
【０００３】  本発明はあらかじめ台風や竜巻の元になるエネルギーを上空に放出することによりこれらの被害を少なくすることが課題である。  上記課題を解決するため解決すべき課題は、長大な円筒が風によって横に流されないよう真っ直ぐに保持すること、【０００４】  長大な円筒が浮力を持つと円筒下部の浮力は大きなものになるので対策をたてること。  円筒内部の空気の温度を制御すること、長い円筒の先端からはじめに浮上させ、次々に順番に最下部まで熱風を送り込んで全体を浮上させる手段の開発、雷や突風の被害を受けないようにすること。  空気が円筒内を通るようになると円筒内は負圧になり、浮力を失うので対策をたてること、この時円筒の役目は終わっているので風の流れを邪魔しないように円筒を取り外すこと、等が課題である。
【課題を解決するための手段】
【０００５】  本発明では上記の課題を解決するために、軽くて強いフィルムやカーボン繊維を用いて巨大な円筒を作り、これに熱風を蓄えて空に上げ、次々に円筒を継ぎ足して地上または海上から３０００メートル近くまで上げた後、先端を開いて空気を放出する。【０００６】  放出が始まると地上または海上の暑い空気はこの円筒を通って温度の低い上空に放出される。  一度、空気が流れ始めるとその勢いが増し装置をはずしても小さい台風や竜巻を継続して発生することが出来る。【０００７】  風によって円筒が流されて曲がることを防ぐためファンでこれに対抗したり、ヘリコプタで円筒を引いて真っ直ぐにしたりする。  円筒内部の温度が下がって上昇できなくなったり、逆に温度が上がりすぎて浮力が過大になったりするのを防ぐために、円筒の所々に硬い小円筒を作りここで火を焚いたり、空気を円筒の外へ放出したりする。  円筒の浮力が円筒の重量より少し大きくなる程度にし、浮力の合計による円筒下部の大きな力を少なくし、さらに円筒そのものの強度を充分強くする。【０００８】  ３０００メートルに達したら先端のカバーを少しずつ外して円筒の空気を放出する。  円筒内部の空気が早く流れはじめたら先端のカバーを全部外し、地上や海上の暑い空気を上空の冷たい空気に放出する。  円筒の下部は自動車や船に固定され自由に移動できるようにしてもよい。【０００９】  空気の放出を始めると円筒は浮力を失いさらに内部が負圧になる。  これを放置すると円筒は内部に向かってへこみ、円筒は折れ曲がって空気の流れを妨げるので竜巻や台風を作ることが出来ない。  そこで、円筒を縦横に分割して空気の流れを妨げないように取り外す。
【発明の効果】
【００１０】  本発明によれば空気のエネルギーを徐々に上空に放出するので台風や竜巻の被害を少なくすることができる。
【発明の実施するための最良の形態】
【００１１】  以下本発明の実施の形態を図１〜図２に基づいて説明する。
【実施例１】  図１において円筒１、とその下に取り付けられた小円筒５、及びカバー８，９，１０に下から熱風を吹き込むと熱気球の原理で浮き上がる。  次に円筒２、を小円筒５、の下に継ぎ足し、さらに小円筒６、ファン１０、円筒３、小円筒７、円筒４、の順番に継ぎ足して行き下から常に熱風を送り続ければ円筒は次第に長くなってゆく。【００１２】  ファン１３、はその方向が３６０度上下左右に動かすことが出来、その回転数も変えることが出来るので円筒全体を真っ直ぐにすることが出来る。  さらに同様にして円筒を継ぎ足せば３０００メートルぐらいは伸ばすことが出来る。  この間下から熱風を送り続けるが、上空では円筒内の空気が冷えて重くなることが考えられる。  これを防ぐため、小円筒にバーナーを取り付けて温度を調整する。【００１３】  ３０００メートル程度になった時、カバー８、を取り外して空気を放出すると円筒全体の空気が動き出し、続いてカバー９、１０、を取り外せば円筒内の空気は勢い良く上空に放出される。【００１４】  このままの状態で円筒を通して空気を上空に送りこんでも良いが、最終的には円筒を外して小さな竜巻や台風を発生させることが目的である。  このためには小円筒内に取り付けられた翼で空気に渦を作ってから円筒を外していくのが良い。【００１５】  翼の角度と大きさを変化させれば渦は作れるが、円筒も回転を始めてしまうので、ファンを用いて回転させないようにする。地表または海１２、の近くの円筒の下部では固定した台を用いて円筒が上空に行かないようにしてもよいが、自動車や船を用いて移動させても良い。【００１６】  燃料はタンクを持ち上げてもよいが細い管で送り込んでもよい。  各種装置を操作するためにはガソリンエンジンや光ファイバーケーブル無線等を用いて雷による被害を防止する。【００１７】  図２はヘリコプタを用いて円筒が曲がったり回転したりするのを防ぐ場合を示すもので、ヘリコプタの後部から連絡線１１、を小円筒５，６，７、に取り付け、円筒を変形しないようにするとともに燃料パイプや制御線をこれに付属させる。【００１８】  以上は円筒を継ぎ足して長くする方法であるが、始めから長い継ぎ目のない円筒を作っておき、円筒の途中の節目にあたる小円筒の後ろ側を閉じて空気のながれを遮断しておき小円筒の前側に熱風を入れて浮上させる方法もある。  浮上させたら、熱風の入り口を閉じる。  以下同様に次の部分を浮上させてゆき、最後に全体を浮上させる。  その他の構造は図１、図２、の場合と同様である。【００１９】  空気が流れはじめ円筒が不要になった時、円筒を縦横に分解しヘリコプタで運んだり、地上に落下させたりする。  縦に分割してヘリコプタで右左に運ぶことも良い。
【図面の簡単な説明】
【００２０】
【図１】は本発明の装置において、円筒を制御するためにファンを用いる例を示したものである。
【図２】は本発明の装置において、円筒を制御するためにヘリコプタを用いる例を示したものである。
【符号の説明】
【００１７】１，２，３，４    円筒５，６，７        小円筒８，９，１０      カバー１１              空気の流れ１２              地表または海１３              フアン１４              ヘリコプタ
【図１】
2007075077.tif 000003
【図２】
2007075077.tif 000004
【手続補正書】
【提出日】平成18年2月21日(2006.2.21)
【手続補正１】
【補正対象書類名】図面
【補正対象項目名】全図
【補正方法】変更
【補正の内容】
【図１】
2007075077.tif 000005
【図２】
2007075077.tif 000006
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
円筒の上部にカバーを取り付け、このカバーと円筒の接合部を空気が漏れないように接合すること。  円筒の上部に取り付けたカバーを上空で取り外す機構を有すること。  円筒に熱風を送り込む装置を有すること。  以上の項目を同時に使用することを特徴とする台風や竜巻を発生させる装置。
【請求項２】
円筒の一部に硬くて幅のせまい円筒を取り付け、上下、左右、に角度を変えることができるファンを取り付け、円筒が横に曲がらないように、回転しないように、上下の位置を保持するように角度とファンの回転数御する機能を有する制御器をもつことを特徴とする台風や竜巻を発生させる装置。
【請求項３】
円筒の一部に硬くて幅のせまい円筒を取り付け、この円筒の外部に線を接続し、この線をヘリコプタまたは飛行船に接続することを特徴とする台風や竜巻を発生させる装置。
【請求項４】
円筒を縦に分解できる機能を有することを特徴とする台風や竜巻を発生させる装置。